(57)【特許請求の範囲】
【請求項１】
回転動作により姿勢が変更される可動演出部、及び前記可動演出部を回転させるための１つの駆動手段を少なくとも有する可動遊技手段と、種々の表示演出を実行する表示部と、遊技に係る動作を制御する制御手段とが備えられた遊技機であって、
前記可動演出部は、正面視が所定の第１形状とされた第１の装飾部と、正面視が前記第１形状とは異なる第２形状とされた第２の装飾部とを一体的に有しており、
前記制御手段は、所定の条件が満たされると、前記可動演出部の姿勢を通常の第１姿勢から当該第１姿勢とは異なる第２姿勢へ変更し、
前記可動演出部が前記第１姿勢にあると、前記第１の装飾部は前記表示部の前方に位置し、前記第２の装飾部は前記表示部の前方に位置しない一方、
前記可動演出部が前記第２姿勢にあると、前記第１の装飾部は前記表示部の前方に位置せず、前記第２の装飾部は前記表示部の前方に位置することを特徴とする遊技機。
【請求項２】
前記制御手段に、前記表示部で実行される前記可動演出部に関連した表示演出であって、前記可動演出部が前記第１姿勢にある場合に実行される第１の表示演出と、前記可動演出部が前記第２姿勢にある場合に実行される第２の表示演出とが設定されていることを特徴とする請求項１に記載の遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機には、位置や姿勢を変更可能な可動演出部を有する可動遊技手段を備えたものがある。たとえば特許文献１に記載のパチンコ機の可動遊技手段では、前後方向を軸として可動演出部を回転可能に設けており、演出用表示部の外側に位置する退避姿勢から演出用表示部の前方に位置する演出姿勢へと可動演出部の姿勢を変更させるようになっている。
【先行技術文献】
【特許文献】
【０００３】
【特許文献１】特開２０１１−２４６６８号公報
【発明の概要】
【発明が解決しようとする課題】
【０００４】
しかしながら、特許文献１に記載のパチンコ機では、通常、可動演出部は上述したような退避姿勢にあり、液晶表示部において特定の表示演出がなされる等した場合にのみ演出姿勢へと姿勢を変更するため、可動演出部の露出頻度が乏しく、演出効果に乏しいという問題がある。
【０００５】
そこで、本発明は、上記問題に鑑みなされたものであって、位置や姿勢が変更される可動演出部が従来よりも長時間にわたり表示部の前方に露出しており、演出効果の高い遊技機を提供しようとするものである。
【課題を解決するための手段】
【０００６】
上記目的を達成するために、本発明のうち請求項１に記載の発明は、回転動作により姿勢が変更される可動演出部、及び前記可動演出部を回転させるための１つの駆動手段を少なくとも有する可動遊技手段と、種々の表示演出を実行する表示部と、遊技に係る動作を制御する制御手段とが備えられた遊技機であって、前記可動演出部は、正面視が所定の第１形状とされた第１の装飾部と、正面視が前記第１形状とは異なる第２形状とされた第２の装飾部とを一体的に有しており、前記制御手段は、所定の条件が満たされると、前記可動演出部の姿勢を通常の第１姿勢から当該第１姿勢とは異なる第２姿勢へ変更し、前記可動演出部が前記第１姿勢にあると、前記第１の装飾部は前記表示部の前方に位置し、前記第２の装飾部は前記表示部の前方に位置しない一方、前記可動演出部が前記第２姿勢にあると、前記第１の装飾部は前記表示部の前方に位置せず、前記第２の装飾部は前記表示部の前方に位置することを特徴とする。
請求項２に記載の発明は、請求項１に記載の発明において、前記制御手段に、前記表示部で実行される前記可動演出部に関連した表示演出であって、前記可動演出部が前記第１姿勢にある場合に実行される第１の表示演出と、前記可動演出部が前記第２姿勢にある場合に実行される第２の表示演出とが設定されていることを特徴とする。
なお、スライドにより可動演出部の位置を変更可能な可動遊技手段と、種々の表示演出を実行する表示部と、遊技に係る動作を制御する制御手段とが備えられた遊技機において、前記制御手段は、所定の条件が満たされると、前記可動演出部の位置を通常の第１位置から当該第１位置とは異なる第２位置へ変更する一方、前記可動演出部が前記第１位置にあっても前記第２位置にあっても、前記可動演出部の少なくとも一部が前記表示部の前方に位置するという第１の構成を採用することも可能である。
そして、そのような第１の構成を採用することにより、従来よりも長時間にわたり表示部の前方に可動演出部が露出することになり、演出効果の高い遊技機とすることができるという効果を奏することができる。
また、上記第１の構成を採用したものにおいて、前記制御手段に、前記表示部で実行される前記可動演出部に関連した表示演出であって、前記可動演出部が前記第１位置にある場合に実行される第１の表示演出と、前記可動演出部が前記第２位置にある場合に実行される第２の表示演出とが設定されているという第２の構成を採用することも可能である。
そして、そのような第２の構成を採用することにより、一層演出効果の高い遊技機とすることができるという効果を奏することができる。
【発明の効果】
【０００７】
請求項１に記載の発明では、可動演出部は、正面視が所定の第１形状とされた第１の装飾部と、正面視が第１形状とは異なる第２形状とされた第２の装飾部とを一体的に有しており、可動演出部が第１姿勢にあると、第１の装飾部は表示部の前方に位置し、第２の装飾部は表示部の前方に位置しない一方、可動演出部が第２姿勢にあると、第１の装飾部は表示部の前方に位置せず、第２の装飾部は表示部の前方に位置するように可動遊技手段が備えられている。したがって、従来よりも長時間にわたり表示部の前方に可動演出部が露出することになり、演出効果の高い遊技機とすることができる。
また、請求項２に記載の発明によれば、通常状態において可動演出部に関連した表示演出が表示部で実行されるとともに、可動演出部の姿勢が第２姿勢へ変更されても、可動演出部に関連した表示演出が表示部で実行される。したがって、一層演出効果の高い遊技機とすることができる。
【図面の簡単な説明】
【０００８】
【図１】パチンコ機を前面側から示した説明図である。
【図２】玉浮き部が第１位置にある遊技盤を前面側から示した説明図である。
【図３】玉浮き部が第２位置にある遊技盤を前面側から示した説明図である。
【図４】棒浮き部が第１位置にある遊技盤を前面側から示した説明図である。
【図５】棒浮き部が第２位置にある遊技盤を前面側から示した説明図である。
【図６】パチンコ機を後面側から示した説明図である。
【図７】分解状態にある電動役物を前側から示した斜視説明図である。
【図８】分解状態にある電動役物を後側から示した斜視説明図である。
【図９】浮き部が第１姿勢にある状態を示した説明図である。
【図１０】浮き部が第２姿勢にある状態を示した説明図である。
【図１１】通常状態にある電動役物を前側から示した説明図である。
【図１２】通常状態にある電動役物の本体ケースを省略した状態を前側から示した説明図である。
【図１３】通常状態にある電動役物の本体ケースを省略した状態を後側から示した説明図である。
【図１４】浮き部が第１姿勢にある浮きユニットが下限位置に、波ユニットが上限位置にある電動役物を前側から示した説明図である。
【図１５】図１４と同状態にある電動役物の本体ケースを省略した状態を前側から示した説明図である。
【図１６】図１４と同状態にある電動役物の本体ケースを省略した状態を後側から示した説明図である。
【図１７】浮き部が第２姿勢にある浮きユニットが上限位置に、波ユニットが下限位置にある電動役物を前側から示した説明図である。
【図１８】図１７と同状態にある電動役物の本体ケースを省略した状態を前側から示した説明図である。
【図１９】図１７と同状態にある電動役物の本体ケースを省略した状態を後側から示した説明図である。
【図２０】浮き部が第２姿勢にある浮きユニットが下限位置に、波ユニットが上限位置にある電動役物を前側から示した説明図である。
【図２１】図２０と同状態にある電動役物の本体ケースを省略した状態を前側から示した説明図である。
【図２２】図２０と同状態にある電動役物の本体ケースを省略した状態を後側から示した説明図である。
【図２３】下限位置にある波ユニットを示した説明図である。
【図２４】上限位置にある波ユニットを示した説明図である。
【図２５】スライド用モータの駆動に応じた波ラックギア、ピニオンギア、及び浮きラックギア部の動作を示した説明図である。
【図２６】（ａ）は、浮き部が第１姿勢にある浮きユニット及び波ユニットが小刻みに上下動する様子を、（ｂ）は、浮き部が第１姿勢にある浮きユニットが下限位置に、波ユニットが上限位置に夫々移動する様子を夫々示した説明図である。
【図２７】（ａ）は、浮き部が第２姿勢にある浮きユニット及び波ユニットが小刻みに上下動する様子を、（ｂ）は、浮き部が第２姿勢にある浮きユニットが下限位置に、波ユニットが上限位置に夫々移動する様子を夫々示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。図２は、玉浮き部３１が第１位置にある遊技盤２を前面側から示した説明図である。図３は、玉浮き部３１が第２位置にある遊技盤２を前面側から示した説明図である。図４は、棒浮き部３２が第１位置にある遊技盤２を前面側から示した説明図であり、図５は、棒浮き部３２が第２位置にある遊技盤２を前面側から示した説明図である。図６は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むようにセンター部材２６が遊技盤２に設置されている。そして、該センター部材２６における演出用表示部６の下側となる位置には、玉浮き部３１が演出用表示部６の前方（表示画面の前方）に位置し得る第１姿勢と、棒浮き部３２が演出用表示部６の前方（表示画面の前方）に位置する第２姿勢とに姿勢を変更可能であるとともに、玉浮き部３１及び棒浮き部３２を上下方向へ移動可能に備えた電動役物３０（図７に示す）が設けられている。また、センター部材２６の下方には、遊技球が入賞可能な始動入賞口１９と、開閉可能な扉部材を有する第１大入賞装置１７とが設けられている。さらにまた、センター部材２６の左方から下方にかけては、遊技球が流下可能な左打ち用スペースＳＬが形成されており、左打ち用スペースＳＬを流下させることで、効率良く始動入賞口１９や開成した第１大入賞装置１７へ入賞させ得るようになっている。
【００１２】
一方、センター部材２６の右方にも遊技球が流下可能な右打ち用スペースＳＲが形成されている。また、該右打ち用スペースＳＲには、可動体（図示せず）を有して遊技球の入賞を可能／不可能とする可動入賞役物を内蔵した入賞装置２０、及び開閉可能な扉部材を有する第２大入賞装置１８が設置されている。そして、遊技球を左打ち用スペースＳＬではなく右打ち用スペースＳＲを流下させることにより、入賞装置２０の可動入賞役物や、開成した第２大入賞装置１８へ入賞させることができる。なお、左打ち用スペースＳＬや右打ち用スペースＳＲには、多数の遊技釘（図示せず）が植設されている。また、遊技領域１６外となる遊技盤２の右下部には、第１特別図柄及び第２特別図柄を夫々別個に表示可能とした特別図柄表示部８３が設けられている。
【００１３】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させる等し（所謂左打ちを行い）、始動入賞口１９への遊技球の入賞を狙う。そして、始動入賞口１９への遊技球の入賞検知に起因して実行される所謂大当たり抽選の結果が「大当たり」になると、特別図柄表示部８３及び演出用表示部６に夫々所定の「大当たり図柄」が確定表示される（たとえば、演出用表示部６に「７、７、７」と確定表示させる）。また、「大当たり図柄」が確定表示されると、第１大入賞装置１７を所定回数にわたって断続的に開成させるといった所謂「大当たり状態」が生起する。そこで、遊技者は左打ちを継続し、断続的に開成する第１大入賞装置１７への遊技球の入賞を狙う。なお、始動入賞口１９へ遊技球が入賞した場合、特別図柄表示部８３では第１特別図柄を変動／確定表示させる。
【００１６】
また、大当たり状態が終了すると、第１特別図柄及び第２特別図柄の合計の確定表示回数が所定回数に達するまで、入賞装置２０への遊技球の進入検知に起因して実行される所謂当たり抽選の結果が「当たり」となりやすく、入賞装置２０の内部において可動入賞役物が頻繁に開状態となって遊技球の入賞を可能とする所謂時短状態が生起する。そこで、遊技者は、遊技球を右打ち用スペースＳＲへ打ち込んで流下させる所謂右打ちを行い、可動入賞役物への遊技球の入賞を狙う。そして、可動入賞役物へ遊技球が入賞すると、上記始動入賞口１９へ遊技球が入賞した場合と同じく大当たり抽選が実行され、該大当たり抽選の結果が「大当たり」になると、特別図柄表示部８３及び演出用表示部６に夫々所定の「大当たり図柄」が確定表示される。また、可動入賞役物への遊技球の入賞に応じて「大当たり図柄」が確定表示されると、第２大入賞装置１８を所定回数にわたって断続的に開成させるといった「大当たり状態」が生起する。そこで、遊技者は右打ちを継続し、断続的に開成する第２大入賞装置１８への遊技球の入賞を狙う。なお、可動入賞役物へ遊技球が入賞した場合、特別図柄表示部８３では第２特別図柄を変動／確定表示させる。
【００１７】
一方、「大当たり状態」が生起することなく、第１特別図柄及び第２特別図柄の合計の確定表示回数が所定回数に達して時短状態が終了すると、右打ちを止めて左打ちを行う上記遊技へと戻る。
さらに、図柄の変動表示中において、特定のリーチ演出が実行される等といったように所定の条件が満たされると、サブ制御装置による制御のもと電動役物３０を作動させ、後述の如き動作で棒浮き部３２を演出用表示部６の前方へ位置させたり、玉浮き部３１や棒浮き部３２を上下方向へ移動させたりし、遊技者に「大当たり状態」生起の期待感を抱かせる。
【００１８】
（電動役物の説明）
ここで、本発明の要部となる電動役物３０について、図７〜図２５にもとづき詳細に説明する。
図７は、分解状態にある電動役物３０を前側から示した斜視説明図である。図８は、分解状態にある電動役物３０を後側から示した斜視説明図である。図９は、浮き部が第１姿勢にある状態を示した説明図である。図１０は、浮き部が第２姿勢にある状態を示した説明図である。図１１は、通常状態にある電動役物３０を前側から示した説明図である。図１２は、通常状態にある電動役物３０の本体ケースを省略した状態を前側から示した説明図である。図１３は、通常状態にある電動役物３０の本体ケースを省略した状態を後側から示した説明図である。図１４は、浮き部が第１姿勢にある浮きユニットが下限位置に、波ユニットが上限位置にある電動役物３０を前側から示した説明図である。図１５は、図１４と同状態にある電動役物３０の本体ケースを省略した状態を前側から示した説明図である。図１６は、図１４と同状態にある電動役物３０の本体ケースを省略した状態を後側から示した説明図である。図１７は、浮き部が第２姿勢にある浮きユニットが上限位置に、波ユニットが下限位置にある電動役物３０を前側から示した説明図である。図１８は、図１７と同状態にある電動役物３０の本体ケースを省略した状態を前側から示した説明図である。図１９は、図１７と同状態にある電動役物３０の本体ケースを省略した状態を後側から示した説明図である。図２０は、浮き部が第２姿勢にある浮きユニットが下限位置に、波ユニットが上限位置にある電動役物３０を前側から示した説明図である。図２１は、図２０と同状態にある電動役物３０の本体ケースを省略した状態を前側から示した説明図である。図２２は、図２０と同状態にある電動役物３０の本体ケースを省略した状態を後側から示した説明図である。図２３は、下限位置にある波ユニットを示した説明図である。図２４は、上限位置にある波ユニットを示した説明図である。図２５は、スライド用モータ５５の駆動に応じた波ラックギア５７、ピニオンギア５８、及び浮きラックギア部４６の動作を示した説明図である。図２６（ａ）は、浮き部が第１姿勢にある浮きユニット及び波ユニットが小刻みに上下動する様子を、図２６（ｂ）は、浮き部が第１姿勢にある浮きユニットが下限位置に、波ユニットが上限位置に夫々移動する様子を夫々示した説明図である。図２７（ａ）は、浮き部が第２姿勢にある浮きユニット及び波ユニットが小刻みに上下動する様子を、図２７（ｂ）は、浮き部が第２姿勢にある浮きユニットが下限位置に、波ユニットが上限位置に夫々移動する様子を夫々示した説明図である。
【００１９】
電動役物３０は、浮き部（可動演出部）等を有する浮きユニットと、第１波部３３、第２波部３４、及び第３波部３５を有する波ユニットと、浮きユニットや波ユニットを上下動させるためのスライド機構部と、それらを収納する本体ケースとを備えてなる。なお、３６は、浮きユニットの上下動を案内する案内カバーであり、３７は、前後方向を軸として回転可能にピニオンギア５８を取り付けるための押さえカバーである。
【００２０】
浮きユニットは、玉浮き部３１及び棒浮き部３２からなる浮き部と、浮き部を回転可能に支持する支持部とを有する。玉浮き部３１は、正面視が玉浮き状に形成された装飾部（第１装飾部）と、装飾部から下方へ延びる舌片状の基端部４０とを有しており、基端部４０の略中央部には軸孔（図示せず）が設けられている。また、基端部４０の下端には、連結片４１が更に下方へ突設されている。棒浮き部３２は、正面視が棒浮き状に形成された装飾部（第２装飾部）と、装飾部から下方へ延びる円板状の基端部４２とを有しており、基端部４２の略中央部には軸孔（図示せず）が設けられている。そして、玉浮き部３１と棒浮き部３２とは、両基端部４０、４２の軸孔を一致させ、且つ、両装飾部が軸孔を中心として夫々異なる放射方向へ突出するような姿勢で一体化され、浮き部として構成されている。一方、支持部は、浮きモータ４３と、浮きモータ４３から延びるアーム体４４と、浮きモータ４３等が設置される浮きケース部材４５とを備えている。また、浮きケース部材４５の右端部には、右側面に噛合面が形成された浮きラックギア部４６が、浮きケース部材４５の左端部には、被案内部４７が夫々設けられている。
【００２１】
そして、上記浮き部は、連結片４１とアーム体４４の先端とが軸着された状態で、浮きケース部材４５に対し回転可能に設置されている。したがって、浮き部の姿勢は、浮きモータ４３の駆動に応じてアーム体４４が作動することにより軸着部を中心として回転し、玉浮き部３１の装飾部が上方へ突出する第１姿勢（図９）と、棒浮き部３２の装飾部が上方へ突出する第２姿勢（図１０）とで変更可能となっている。なお、両浮き部３１、３２の後面には、ＬＥＤが搭載された発光基板が取り付けられており、ＬＥＤが点灯／点滅することによって両浮き部３１、３２の装飾部が発光するようになっている。また、浮きケース部材４５の後面に設けられている５３は、浮き部の回転を案内するための案内孔である。
【００２２】
波ユニットを構成する第１波部３３は、前面に波のような装飾が施された合成樹脂製の部材であり、前方へ突出するガイド突起４８と、第３波部３５に軸着するための軸着部４９とが右下部に設けられている。第２波部３４は、第１波部３３同様、前面に波のような装飾が施された合成樹脂製の部材であり、前方へ突出するガイド突起５０と、第３波部３５に軸着するための軸着部５１とが左下部に設けられている。第３波部３５は、他の波部と同じく前面に波のような装飾が施された装飾部３５ａと、装飾部の右側に一体的に設けられたラックギア固定部３５ｂとを有する合成樹脂製の部材である。また、装飾部３５ａの下辺部には、第１波部３３や第２波部３４を軸支するための軸支部５２、５２が設けられている。そして、第１波部３３及び第２波部３４は、第３波部３５の前面側において第３波部３５に対し回動自在に軸着されている。なお、各波部３３、３４、３５の後面には、ＬＥＤが搭載された発光基板が取り付けられており、ＬＥＤが点灯／点滅することによって各波部３３、３４、３５の装飾部が発光するようになっている。
【００２３】
スライド機構部は、スライド用モータ５５と、スライド用モータ５５に直結されたモータピニオン５６と、左右両側面に噛合面が形成された波ラックギア５７と、波ラックギア５７のスライドにより回転するピニオンギア５８と、浮きユニットに設けられた浮きラックギア部４６と、波ラックギア５７のスライドを案内するガイドレール５９と、浮きユニットのスライドを案内するガイドレール６０とを備えてなる。スライド用モータ５５は、浮きユニット及び波ユニットを上下方向へ移動させる駆動源となるものであって、前後方向を軸として回転可能に固定されており、前方へ突出するスライド用モータ５５の軸にモータピニオン５６が嵌着されている。また、モータピニオン５６の左隣に、波ラックギア５７がガイドレール５９に沿って上下方向へスライド可能に取り付けられている。波ラックギア５７は、その左側面の噛合面がモータピニオン５６と噛合しており、モータピニオン５６の回転に応じて上下動するようになっている。さらに、波ラックギア５７の左隣に、ピニオンギア５８が前後方向を軸として回転可能に取り付けられている。ピニオンギア５８は、波ラックギア５７の右側面の噛合面と噛合しており、波ラックギア５７の上下動に応じて回転するようになっている。加えて、ピニオンギア５８の左隣に、浮きラックギア部４６が、その噛合面をピニオンギア５８に噛合させた状態で位置しており、ピニオンギア５８の回転に応じガイドレール６０に沿って上下方向へスライド可能となっている。
【００２４】
本体ケースは、後ケース６３と前ケース６４とを組み付けてなるものであって、上面が開口しており、内蔵されている浮きユニットの玉浮き部３１や棒浮き部３２が演出用表示部６の前方まで突出したり、波ユニットが演出用表示部６の前方に重なる位置まで移動したりすることを許容している。また、前ケース６４には、第１波部３３及び第２波部３４のガイド突起４８、５０が嵌入可能で、波ユニットが上下動する際にガイド突起４８、５０を案内する一対のガイド孔６１、６２が設けられている。第１波部３３のガイド突起４８が嵌入する左側のガイド孔６１は右上がりに傾斜する方向へ、第２波部３４のガイド突起５０が嵌入する右側のガイド孔６２は左上がりに傾斜する方向へ夫々延びる長孔状に形成されている。
【００２５】
そして、浮きユニットは、上述したように浮きラックギア部４６をピニオンギア５８に噛合させた状態で、本体ケース内に収納されている。また、波ユニットは、第１波部３３及び第２波部３４が軸着された第３波部３５のラックギア固定部３５ｂを、波ラックギア５７の前面にネジ止めするとともに、第１波部３３及び第２波部３４のガイド突起４８、５０をガイド孔６１、６２に嵌入させた状態で、本体ケース内に収納されている。なお、本体ケース内では、浮きユニットの前方に波ユニットが位置している。
【００２６】
ここで、上述の如く構成される電動役物３０の動作、及び電動役物３０の動作に関連した演出用表示部６での表示演出について詳述すると、電動役物３０は、通常、浮きユニットにおいて浮き部が第１姿勢にあるとともに該浮きユニットが上限位置にあり、且つ、波ユニットが下限位置にあるという通常状態にある（図１１）。すなわち、図１３に示すように、浮きラックギア部４６の噛合面の下端部とピニオンギア５８とが噛合し、波ラックギア５７の噛合面の上端部とモータピニオン５６及びピニオンギア５８とが噛合している。また、第１波部３３及び第２波部３４のガイド突起４８、５０が各ガイド孔６１、６２の下端に位置しており、更に、浮きユニットでは、玉浮き部３１の装飾部が上方へ突出した状態となっている。そして、通常状態では、玉浮き部３１の装飾部、及び第１波部３３、第２波部３４の上部が遊技者から視認可能となっており、特に玉浮き部３１の装飾部の略全体が演出用表示部６の前方に位置している（図２）。また、棒浮き部３２は左側へ傾倒しており、棒浮き部３２の装飾部は、その前方に位置する波ユニットやセンター部材２６の後方に隠れている（図１２）。すなわち、波ユニットやセンター部材２６が、棒浮き部３２の装飾部の移動軌跡の前側に位置し、その移動軌跡の一部を前側から覆うことにより、浮き部が第１姿勢にある際に棒浮き部３２の装飾部を前側から覆うカバー部として機能する。
【００２７】
上記通常状態から、たとえば演出用表示部６において第１のアニメーションが表示される等の第１の所定条件が満たされると、スライド用モータ５５が正回転（右回りに回転）と逆回転（左回りに回転）とを小刻みに繰り返す。すると、図２５で示すように、波ラックギア５７は、スライド用モータ５５の正回転に応じて上方へ、逆回転に応じて下方へ夫々スライドする。したがって、波ラックギア５７に固定されている波ユニットは、図２６（ａ）で示すように、小刻みに上下動を繰り返す。一方、ピニオンギア５８は、図２５で示すようにスライド用モータ５５の回転方向に対して反回転方向へ回転することになり、浮きユニットは、波ユニットが上方へスライドする際には下方へ、波ユニットが下方へスライドする際には上方へ夫々スライドする。したがって、浮きユニットも、図２６（ａ）で示すように、小刻みに上下動を繰り返す。また、このとき、浮きユニットにおいて浮き部は第１姿勢のままとなっており、玉浮き部３１は、その装飾部の少なくとも一部が常に演出用表示部６の前方に位置したまま上下動する。そして、電動役物３０がこのように作動するに伴い、演出用表示部６では、図２６（ａ）で示すような玉浮き部３１に関連する表示演出が実行される。すなわち、玉浮き部３１の周囲に、玉浮き部３１の動作を表すような擬態語表示（図２６（ａ）中の「ピクピク」等）が表示されたり、水面が揺れているようなアニメーションが表示されたりする。
【００２８】
さらに、たとえば玉浮き部３１が上下動する上記状態から演出用表示部６において押しボタン２５の操作が促され、遊技者により押しボタン２５が操作される等の第２の所定条件が満たされると、スライド用モータ５５が正回転し、波ユニットは上方へ、浮きユニットは下方へ夫々スライドする。そして、最終的に、電動役物３０は図１４〜図１６で示すような状態となり、波ユニットは上限位置に達して第１波部３３、第２波部３４、及び第３波部３５が演出用表示部６の前方に位置する一方、浮きユニットは下限位置に達して玉浮き部３１の装飾部が本体ケース内に隠れる（図３）ことになる。また、上限位置に達しするに際し、波ユニットでは、ガイド孔６１、６２が右上がり若しくは左上がりの傾斜方向に延びているため、第１波部３３及び第２波部３４の第３波部３５との軸着部と、第１波部３３及び第２波部３４のガイド突起４８、５０との左右方向での位置関係が変化する。具体的に説明すると、通常状態においては、ガイド突起４８、５０の略真上に軸着部が位置しているところ、上方へのスライドに伴い、図２３及び図２４に示すように、ガイド突起４８、５０が軸着部よりも波ユニットの中央側へ移動することになる。また、電動役物３０がこのように作動するに伴い、演出用表示部６では、図２６（ｂ）で示すような玉浮き部３１に関連する表示演出が実行される。すなわち、玉浮き部３１が水面下に引き込まれるようなアニメーションが表示される。なお、電動役物３０では、波ユニットが上限位置に、浮きユニットが下限位置に夫々達した後、所定の時間の経過をもってスライド用モータ５５が逆回転し、上記通常状態へ復帰する。
【００２９】
また、上記通常状態から、たとえば演出用表示部６において第２のアニメーションが表示される等の第３の所定条件が満たされると、浮きモータ４３が駆動し、上限位置にある浮きユニットにおいて浮き部が第２姿勢をとる（図１７）。つまり、玉浮き部３１に代わり棒浮き部３２の装飾部が上方へ突出し、棒浮き部３２の装飾部の略全体が演出用表示部６の前方に位置して遊技者から視認可能となる（図４）。一方、玉浮き部３１は右側へ傾倒しており、玉浮き部３１の装飾部は、前方に位置する波ユニットの後方に隠れている（図１８）。すなわち、ここでは波ユニットが、玉浮き部３１の装飾部の移動軌跡の前側に位置し、その移動軌跡の一部を前側から覆うことにより、浮き部が第２姿勢にある際に玉浮き部３１の装飾部を前側から覆うカバー部として機能する。なお、このとき波ユニットは下限位置にある（図１９）。
【００３０】
さらに、上限位置にある浮きユニットにおいて浮き部が第２姿勢をとった上記状態から、たとえば演出用表示部６において第３のアニメーションが表示される等の第４の所定条件が満たされると、スライド用モータ５５が正回転と逆回転とを小刻みに繰り返し、波ユニット及び浮きユニットが、図２７（ａ）で示すように、小刻みに上下動を繰り返す。このとき、棒浮き部３２は、その装飾部の少なくとも一部が常に演出用表示部６の前方に位置したまま上下動する。そして、電動役物３０がこのように作動するに伴い、演出用表示部６では、図２７（ａ）で示すような棒浮き部３２に関連する表示演出が実行される。すなわち、棒浮き部３２の周囲に、棒浮き部３２の動作を表すような擬態語表示（図２７（ａ）中の「ピクピク」等）が表示されたり、水面が揺れているようなアニメーションが表示されたりする。
【００３１】
加えて、たとえば棒浮き部３２が上下動する上記状態から演出用表示部６において押しボタン２５の操作が促され、遊技者により押しボタン２５が操作される等の第５の所定条件が満たされると、スライド用モータ５５が正回転し、波ユニットは上方へ、浮きユニットは下方へ夫々スライドする。そして、最終的に、電動役物３０は図２０〜図２２で示すような状態となり、波ユニットは上限位置に達して第１波部３３、第２波部３４、及び第３波部３５が演出用表示部６の前方に位置する一方、浮きユニットは下限位置に達するものの棒浮き部３２の装飾部の上部が演出用表示部６の前方に位置する（図５）ことになる。また、電動役物３０がこのように作動するに伴い、演出用表示部６では、図２７（ｂ）で示すような棒浮き部３２に関連する表示演出が実行される。すなわち、棒浮き部３２の下部が水面下へ引き込まれるようなアニメーションが表示される。なお、電動役物３０では、波ユニットが上限位置に、浮きユニットが下限位置に夫々達してから所定の時間が経過すると、浮きモータ４３が駆動して浮き部が第１姿勢をとるとともにスライド用モータ５５が逆回転し、上記通常状態へ復帰する。また、浮き部が第２姿勢をとったものの、浮きユニットが下限位置へとスライドすることなく（すなわち、棒浮き部３２が引き込まれるような演出が実行されることなく）、浮きモータ４３が駆動して浮き部が第１姿勢をとり、上記通常状態へ復帰することもある。さらに、電動役物３０の作動に応じた演出用表示部６での表示演出として使用するアニメーションや擬態語表示等については、サブ制御装置に記憶されている。
【００３２】
（本実施形態のパチンコ機による効果）
以上のような構成を有する電動役物３０を備えたパチンコ機１によれば、電動役物３０の浮きユニットに、装飾部が夫々異なる放射方向へ突出するように一体化された玉浮き部３１及び棒浮き部３２を有する浮き部と、浮き部を回転させる浮きモータ４３等を設けており、前後方向を軸として浮き部を回転させることにより、浮き部の姿勢が、玉浮き部３１の装飾部が演出用表示部６の前方に露出するとともに棒浮き部３２の装飾部が波ユニットやセンター部材２６の後側に位置する第１姿勢と、棒浮き部３２の装飾部が演出用表示部６の前方に露出するとともに玉浮き部３１の装飾部が波ユニットの後側に位置する第２姿勢とに変更されるようにしている。したがって、１つの電動役物３０で、玉浮き部３１の装飾部と棒浮き部３２の装飾部との２つの装飾部を夫々別個に露出させる演出を実現することができ、従来よりも部品点数が少なくコスト低減を図ることができる。また、電動役物３０のために必要なスペースの省スペース化することができ、他の部材の設計自由度を向上することができる等の効果もある。
【００３３】
また、浮き部や浮きモータ４３等を支持する浮きケース部材４３に、上下方向へ延びる噛合面が側面に形成された浮きラックギア部４６を設けるとともに、スライド用モータ５５と、モータピニオン５６等からなる回転伝達機構部を別途設け、スライド用モータ５５の駆動に応じて、浮きユニットが、浮き部の姿勢に拘わらず、上下方向へスライドするようになっている。したがって、そのような従来にない動きを利用した斬新な演出を実現することができ、遊技性の高いパチンコ機１とすることができる。
【００３４】
さらに、スライド用モータ５５の駆動に応じて、浮きユニットとは別に上下方向へスライドする波ユニットを設けるとともに、浮きユニットが下方へスライドする際には波ユニットが上方へスライドし、浮きユニットが上方へスライドする際には波ユニットが下方へスライドするようにしている。したがって、ユニットのスライドに際してスライド用モータ５５にかかる負荷を軽減することができ、スライド機構部の耐久性の向上等を図ることができる。
【００３５】
さらにまた、玉浮き部３１の装飾部が上方へ突出する第１姿勢としても、棒浮き部３２の装飾部が上方へ突出する第２姿勢としても、可動演出部である浮き部の少なくとも一部が演出用表示部６の前方に位置するように電動役物３０を備えている。すなわち、浮き部が第１姿勢にある通常状態において、玉浮き部３１の装飾部が演出用表示部６の前方に露出しているとともに、浮き部の姿勢が第２姿勢へ変更されたとしても、棒浮き部３２の装飾部が演出用表示部６の前方に露出する。したがって、従来よりも長時間にわたり、演出用表示部６の前方に可動演出部が露出することになり、演出効果の高いパチンコ機１とすることができる。
【００３６】
またさらに、玉浮き部３１が小刻みに上下動している間（すなわち、玉浮き部３１の位置が第１位置と第２位置とで変更されている間）、玉浮き部３１の少なくとも一部が常に演出用表示部６の前方に位置するように電動役物３０を備えている。また、棒浮き部３２に関しては、小刻みに上下動している間（すなわち、棒浮き部３２の位置が第１位置と第２位置とで変更されている間）は勿論、浮きユニットが下限位置に達した場合（棒浮き部３２では、この場合も、その位置が第１位置から第２位置へ変更されたことになる）にも棒浮き部３２の少なくとも一部が演出用表示部６の前方に位置するように電動役物３０を備えている。すなわち、浮き部を有する浮きユニットが上限位置（第１位置）にある通常状態において、玉浮き部３１や棒浮き部３２が演出用表示部６の前方に露出しているとともに、小刻みの上下動するにあたって浮きユニットが下方へ移動したり、時には下限位置まで移動したりと言ったように、浮き部の位置が第２位置へ変更されたとしても、玉浮き部３１や棒浮き部３２の装飾部が演出用表示部６の前方に露出する。したがって、従来よりも長時間にわたり、演出用表示部６の前方に可動演出部が露出することになり、演出効果の高いパチンコ機１とすることができる。
【００３７】
加えて、浮き部が第１姿勢と第２姿勢との何れの姿勢にあっても、演出用表示部６で浮き部に関連した表示演出を実行する上、玉浮き部３１や棒浮き部３２が上下動している間にも、演出用表示部６で浮き部に関連した表示演出を実行する。したがって、一層演出効果の高いパチンコ機１とすることができる。
【００３８】
（本発明の変更例について）
なお、本発明の遊技機に係る構成は、上記実施形態に何ら限定されるものではなく、遊技機全体の構成は勿論、可動遊技手段や表示部、可動演出部等に係る構成についても、本発明の趣旨を逸脱しない範囲で必要に応じて適宜変更可能である。
【００３９】
たとえば、上記実施形態では、可動遊技手段として波ユニットも設けているが、浮きユニットのみとしてもよい。
また、可動演出部をどのように作動させるかについても適宜変更可能であり、回転動作しかしないように構成することも可能であるし、スライドしかしないように構成してもよい。そして、スライドさせるにあたり、上記実施形態では表示手段の下部において表示画面の前方に露出させているが、表示手段の側部や上部において表示画面の前方に露出させる等してもよい。加えて、可動演出部の可動態様に関しても適宜変更可能であり、上下方向を軸として回転するように構成してもよいし、左右方向へスライドさせるように構成しても何ら問題はない。
【００４０】
さらに、可動演出部を表示部の前方にどの程度露出させるかについても適宜変更可能であるし、可動演出部の形状等についても適宜変更可能であり、３つ以上の装飾部を設けたり、姿勢についても３つ以上の姿勢に変更可能としてもよい。なお、可動演出部の前側を覆うカバー部についても、専用のカバー部材をセンター部材に取り付ける等することで設けても何ら問題はない。
さらにまた、上記実施形態では、浮きユニットと波ユニットとが交互に上下動するように構成しているが、共に上方へスライドしたり、下方へスライドしたりするように構成することも可能である。
またさらに、可動遊技手段が作動する契機となる所定の条件についても、上記実施形態以外の条件（たとえば何らかの契機で抽選を実行し、その抽選に当選する等）が満たされたことをもって、可動遊技手段が作動するように構成してもよい。そして、どのような条件が満たされたことをもって、可動遊技手段がどのように作動するか、更には可動遊技手段の作動に応じてどのような表示演出を実行するかについても、実施形態の記載の態様に限定されることはない。すなわち、可動遊技手段が作動しても表示演出を実行しないような場合があっても何ら問題はない。
【００４１】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、可動演出部、可動遊技手段、表示部等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００４２】
１・・パチンコ機（遊技機）、６・・演出用表示部（表示部）、３０・・電動役物（可動遊技手段）、３１・・玉浮き部、３２・・棒浮き部、３３・・第１波部、３４・・第２波部、３５・・第３波部、４０・・基端部、４１・・連結片、４２・・基端部、４３・・浮きモータ、４４・・アーム体、４５・・浮きケース部材、４６・・浮きラックギア部、５５・・スライド用モータ、５６・・モータピニオン、５７・・波ラックギア、５８・・ピニオンギア。
【図１】
0006514873.tif 000002
【図２】
0006514873.tif 000003
【図３】
0006514873.tif 000004
【図４】
0006514873.tif 000005
【図５】
0006514873.tif 000006
【図６】
0006514873.tif 000007
【図７】
0006514873.tif 000008
【図８】
0006514873.tif 000009
【図９】
0006514873.tif 000010
【図１０】
0006514873.tif 000011
【図１１】
0006514873.tif 000012
【図１２】
0006514873.tif 000013
【図１３】
0006514873.tif 000014
【図１４】
0006514873.tif 000015
【図１５】
0006514873.tif 000016
【図１６】
0006514873.tif 000017
【図１７】
0006514873.tif 000018
【図１８】
0006514873.tif 000019
【図１９】
0006514873.tif 000020
【図２０】
0006514873.tif 000021
【図２１】
0006514873.tif 000022
【図２２】
0006514873.tif 000023
【図２３】
0006514873.tif 000024
【図２４】
0006514873.tif 000025
【図２５】
0006514873.tif 000026
【図２６】
0006514873.tif 000027
【図２７】
0006514873.tif 000028